(57)【要約】      （修正有）【課題】予め内部に収容されている医薬組成物以外の医薬組成物を簡単な操作で嚥下させ、嚥下に対する患者の抵抗感を減じさせる医薬組成物容器を提供する。【解決手段】医薬組成物容器４００は、容器本体４０２を備える。容器本体４０２は汎用補助物質室４２４と境界部４４５とを有している。汎用補助物質室４２４には、嚥下補助物質が予め収容されている。境界部４４５は、汎用補助物質室４２４の端を閉塞する。医薬組成物容器４００は、容器本体４０２に加え、通路部４０４を備えている。通路部４０４が、対向口部４７０と、通過口部４７２とを有する。対向口部４７０は、境界部４４５と対向する。通過口部４７２は、対向口部４７０を通過した嚥下補助物質４０の出口と、医薬組成物収容室４２２に収容されている医薬組成物とは異なる医薬組成物の入口とを、兼ねている。【選択図】図１
2013126429.tif 000002
【特許請求の範囲】
【請求項１】
少なくとも３つの空間を有する容器本体を備え、
前記空間のいずれかが、医薬組成物が収容される医薬組成物収容室であり、
前記空間のいずれかが、前記医薬組成物収容室と隣り合い、嚥下補助物質が予め収容されている、組成物用補助物質室であり、
前記容器本体に、前記容器本体の外部と前記医薬組成物収容室とを連通させる開口の形成が予定される開口形成予定部が設けられている、医薬組成物容器であって、
前記空間のいずれかが、嚥下補助物質が予め収容されている、汎用補助物質室であり、
前記容器本体は、
前記医薬組成物収容室と前記組成物用補助物質室との間を閉塞する室間部と、
前記汎用補助物質室の端を閉塞する境界部とをさらに有し、
前記室間部と前記境界部とは、前記容器本体の外部から力を加えられると開き、
前記医薬組成物容器が、前記容器本体に加え、前記境界部に隣接するよう配置され、前記境界部が開いたとき前記汎用補助物質室内の前記嚥下補助物質の通路となる通路部を備えており、
前記通路部が、
前記境界部と対向する対向口部と、
通過口部とを有しており、
前記通過口部が、前記対向口部を通過した前記嚥下補助物質の出口と、前記医薬組成物収容室に収容されている前記医薬組成物とは異なる医薬組成物の入口とを、兼ねていることを特徴とする、医薬組成物容器。
【請求項２】
前記通路部が、前記通過口部の縁の一部をめくるためのめくり代をさらに有することを特徴とする、請求項１に記載の医薬組成物容器。
【請求項３】
前記通過口部が、折り曲げ可能なシートの面同士を対向させ前記面同士を貼り合せることで形成されており、
前記めくり代が、前記シートの縁および前記通過口部の縁にあたる、前記シートの面のうち貼り合わされていない部分であることを特徴とする、請求項２に記載の医薬組成物容器。
【発明の詳細な説明】
【技術分野】
【０００１】
本発明は、医薬組成物容器に関し、特に、予め内部に収容されている医薬組成物以外の医薬組成物を簡単な操作で嚥下でき、嚥下に対する患者の抵抗感を減じることができる、医薬組成物容器に関する。
【背景技術】
【０００２】
特許文献１は、複室型容器を開示する。この複室型容器は、複数の空間を互いに連通可能に区画したものである。これらの空間は、外部から加えられる力によって連通可能な状態で閉塞されている。これらの空間のいずれかに、粉粒状剤が密封状態で収容されている。他の空間には濃厚流動物質が密封状態で収容されている。各空間を互いに連通させて、粉粒状剤と濃厚流動物質とを集合させ混合したのち、いずれかの空間に設けた取出し口より混合物を取出し可能である。
【０００３】
特許文献１に開示された容器によれば、極めて簡単な操作で粉粒状剤を服用することができる。しかも、特許文献１に開示された複室型容器によれば、嚥下に対する患者の抵抗感を大幅に減じることができる。
【先行技術文献】
【特許文献】
【０００４】
【特許文献１】特開平１０−２３４８２０号公報
【発明の概要】
【発明が解決しようとする課題】
【０００５】
しかしながら、特許文献１に開示された発明では、２種類以上の医薬組成物を嚥下しようとする者における利便性に改善の余地があった。以下、この問題点について説明する。
【０００６】
患者が２種類以上の医薬組成物を嚥下しなければならないことはよくある。それらの医薬組成物のうち、特許文献１に開示された複室型容器（以下、単に「複室型容器」と称する）に収容されているものは、極めて簡単な操作で嚥下でき、患者の抵抗感を大幅に減じることができる。ところが、それらの医薬組成物のうち、複室型容器に収容されていないものは、一旦舌上に受け止めてから、水などを利用して嚥下しなくてはならない。これでは、複室型容器を用いる意義は事実上ほぼ失われてしまう。
【０００７】
複室型容器に収容されているものの他に濃厚流動物質を調製して、この濃厚流動物質を用いることも考えられる。しかしながら、この濃厚流動物質を調製する作業は極めて煩雑である。
【０００８】
調製された濃厚流動物質を袋詰めにして保存しておくことも考えられる。しかしながら、この場合、患者は、医薬組成物を嚥下する際、その医薬組成物を一旦舌上に受け止めなくてはならない。そのため、この場合、嚥下に対する患者の抵抗感を減じることができない。
【０００９】
本発明は、これらのような問題点を解消するためになされたものであり、その目的とするところは、予め内部に収容されている医薬組成物以外の医薬組成物を簡単な操作で嚥下でき、嚥下に対する患者の抵抗感を減じることができる、医薬組成物容器を提供することにある。なお、以下の説明における「医薬組成物」とは、医薬および食物の総称である。
【課題を解決するための手段】
【００１０】
図面を参照して本発明の医薬組成物容器を説明する。なお、この欄で図中の符号を使用したのは、発明の内容の理解を助けるためであって、内容を図示した範囲に限定する意図ではない。
【００１１】
上記目的を達成するために、本発明のある局面に従うと、医薬組成物容器４００，５００は、容器本体４０２，５１０を備える。容器本体４０２，５１０は少なくとも３つの空間４２０，４２２，４２４，５２０，５２２，５２４を有している。空間のいずれかが、医薬組成物収容室４２２，５２０である。医薬組成物収容室４２２，５２０には、医薬組成物が収容される。空間のいずれかが、組成物用補助物質室４２０，５２２である。組成物用補助物質室４２０，５２２は、医薬組成物収容室４２２，５２０と隣り合う。組成物用補助物質室４２０，５２２には、嚥下補助物質４０が予め収容されている。容器本体４０２に、開口形成予定部４４７，５３０が設けられている。開口形成予定部４４７，５３０には、開口の形成が予定される。開口は、容器本体４０２，５１０の外部と医薬組成物収容室４２２，５２０とを連通させる。空間のいずれかが、汎用補助物質室４２４，５２４である。汎用補助物質室４２４，５２４には、嚥下補助物質が予め収容されている。容器本体４０２，５１０は、室間部４４１，５４０と、境界部４４５，５４４とをさらに有する。室間部４４１，５４０は、医薬組成物収容室４２２，５２０と組成物用補助物質室４２０，５２２との間を閉塞する。境界部４４５，５４４は、汎用補助物質室４２４，５２４の端を閉塞する。室間部４４１，５４０と境界部４４５，５４４とは、容器本体４０２，５１０の外部から力を加えられると開く。医薬組成物容器４００，５００は、容器本体４０２，５１０に加え、通路部４０４，５１２を備えている。通路部４０４，５１２が、対向口部４７０，５７０と、通過口部４７２，５７２とを有する。対向口部４７０，５７０は、境界部４４５，５４４と対向する。通過口部４７２，５７２は、対向口部４７０，５７０を通過した嚥下補助物質４０の出口と、医薬組成物収容室４２２，５２０に収容されている医薬組成物８０とは異なる医薬組成物の入口とを、兼ねている。
【００１２】
医薬組成物容器４００，５００に通路部４０４，５１２が設けられていることにより、通路部４０４，５１２に医薬組成物を入れて汎用補助物質室４２４，５２４内の嚥下補助物質４０と共にその医薬組成物を嚥下することが可能になる。それが可能になるので、その医薬組成物をいったん舌に載せる必要がなくなる。医薬組成物をいったん舌に載せる必要がなくなるので、嚥下に対する患者の抵抗感を減じることができる。
【００１３】
また、上述した通路部５１２は、めくり代５８０をさらに有することが望ましい。めくり代５８０は、通過口部５７２の縁の一部をめくるためのものである。
【００１４】
医薬組成物容器５００にめくり代５８０が設けられていると、そのめくり代５８０から通過口部５７２の縁の一部をめくることが可能になる。通過口部５７２の縁の一部をめくると通過口部５７２の口を拡げることができる。通過口部５７２の口を拡げることができるので、その中に医薬組成物を入れやすくなる。
【００１５】
また、上述した通過口部５７２が、折り曲げ可能なシートの面同士を対向させ面同士を貼り合せることで形成されていることが望ましい。この場合、めくり代５８０が、シートの縁および通過口部５７２の縁にあたる、シートの面のうち貼り合わされていない部分であることが望ましい。
【００１６】
シートの縁および通過口部５７２の縁にあたるシートの面のうち貼り合わされていない部分を貼り合わせないことでめくり代５８０を形成すると、通過口部５７２の縁にあたる部分に突起と凹みとの少なくとも一方を設けてそれをめくり代とする場合に比べ、次に述べるような効果が得られる。第１の効果は、シートの無駄を少なくできるという効果である。第２の効果は、通過口部５７２の縁にあたる部分に突起と凹みとの少なくとも一方を設ける工程が不要になるという効果である。
【発明の効果】
【００１７】
本発明によれば、予め内部に収容されている医薬組成物以外の医薬組成物を簡単な操作で嚥下でき、嚥下に対する患者の抵抗感を減じることができる。
【図面の簡単な説明】
【００１８】
【図１】本発明の第１の実施形態にかかる医薬組成物容器の一部破断図である。
【図２】本発明の第１の実施形態にかかる医薬組成物容器の先端部分が通路部に挿入されている状況を示す図である。
【図３】本発明の第２の実施形態にかかる医薬組成物容器の一部破断図である。
【図４】本発明の第２の実施形態にかかるめくり代をめくったときの通路部の斜視図である。
【発明を実施するための形態】
【００１９】
以下、図面を参照しつつ、本発明の実施形態について説明する。以下の説明では、同一の部品には同一の符号を付してある。それらの名称および機能も同一である。したがって、それらについての詳細な説明は繰返さない。
【００２０】
<第１の実施形態>
以下、本発明の第１の実施形態について説明する。
【００２１】
<構造の説明>
図１は本実施形態にかかる医薬組成物容器４００の一部破断図である。医薬組成物容器４００のうち、シートの端と端とが貼り合わされた部分が側部強シール４１０である。
【００２２】
医薬組成物容器４００は、容器本体４０２と、通路部４０４とを備える。容器本体４０２はその中に少なくとも３つの空間（本実施形態の場合、後述する中間室４５２，４６２を考慮しなければちょうど３つの空間）を有する。通路部４０４は、容器本体４０２の一端に設けられ、容器本体４０２と一体となっている。
【００２３】
ここで、まず、容器本体４０２について説明する。容器本体４０２の中の空間の間は、室間部４４１と、室間強シール部４４３とで閉塞されている。室間部４４１は、第１区域４５０と、中間室４５２と、第２区域４５４とを有する。
【００２４】
容器本体４０２の内部の空間のうちの１つが組成物用補助物質室４２０である。組成物用補助物質室４２０内には、嚥下補助物質４０が収容されている。医薬組成物容器４００の外部から嚥下補助物質４０に力が加えられると、嚥下補助物質４０から受ける圧力によって、室間部４４１のうち第１区域４５０が容易に開く。第１区域４５０が開くと中間室４５２に嚥下補助物質４０が押し出される。同様にして、第２区域４５４が開く。これは、第１区域４５０や第２区域４５４の強度が、側部強シール４１０や室間強シール部４４３に比べて低いことで実現可能になっている。
【００２５】
容器本体４０２の内部の空間のうちの１つが医薬組成物収容室４２２である。ここには包蔵物２１２が収容されている。組成物用補助物質室４２０は医薬組成物収容室４２２と隣り合っている。包蔵物２１２は図示しない医薬組成物を包蔵する。医薬組成物収容室４２２の一端は開口形成予定部４４７によって閉塞されている。開口形成予定部４４７の強度は側部強シール４１０や室間強シール部４４３に比べて低い。このため、医薬組成物収容室４２２の中に嚥下補助物質４０が入った状態で室間強シール部４４３から開口形成予定部４４７の方へ向けて容器本体４０２をしごくと、嚥下補助物質４０から受ける圧力によって開口形成予定部４４７は開く。
【００２６】
容器本体４０２の内部の空間のうちの１つが汎用補助物質室４２４である。汎用補助物質室４２４にも、組成物用補助物質室４２０と同様、嚥下補助物質４０が収容されている。汎用補助物質室４２４と組成物用補助物質室４２０との間は室間強シール部４４３によって閉塞されている。室間強シール部４４３の強度は側部強シール４１０と同様なので、医薬組成物容器４００の外部から嚥下補助物質４０に力を加えても室間強シール部４４３は開かない。
【００２７】
一方、汎用補助物質室４２４は通路部４０４に隣接している。汎用補助物質室４２４と通路部４０４内部との間は境界部４４５によって閉塞されている。境界部４４５は、第１区域４６０と、中間室４６２と、第２区域４６４とを有する。第１区域４６０や第２区域４６４の強度は側部強シール４１０や室間強シール部４４３に比べて低い。これにより、医薬組成物容器４００の外部から汎用補助物質室４２４内の嚥下補助物質４０に力が加えられると、嚥下補助物質４０から受ける圧力によって、境界部４４５のうち第１区域４６０と第２区域４６４とが順次容易に開く。
【００２８】
次に、通路部４０４について説明する。通路部４０４は、境界部４４５に隣接するよう配置される。通路部４０４は、境界部４４５が開いたとき汎用補助物質室４２４内の嚥下補助物質４０の通路となる。
【００２９】
通路部４０４は、対向口部４７０と、通過口部４７２とを有する。対向口部４７０は、通路部４０４の両端のうち境界部４４５と対向する一端に設けられている。対向口部４７０は、汎用補助物質室４２４内から嚥下補助物質４０が排出されて通路部４０４に入るとき、その嚥下補助物質４０の入口となる。通過口部４７２は、通路部４０４の両端のうち対向口部４７０とは反対側の端に設けられている。通過口部４７２は、対向口部４７０を通過した嚥下補助物質４０の出口と医薬組成物の入口とを兼ねる。この医薬組成物は、医薬組成物収容室４２２に収容されている医薬組成物とは異なるものである。
【００３０】
<製造工程の説明>
本実施形態にかかる医薬組成物容器４００の製造工程は次の通りである。まず、１枚の合成樹脂（低密度ポリエチレン、ＰＥＴ（ポリエチレンテレフタレート）、その複合樹脂などのように折り曲げ可能な柔らかいものであってヒートシールが可能なもの）製のシートを２つ折りとし、２つ折りとされたシートの端と端とを貼り合わせる。医薬組成物容器４００の素材がこういった柔らかいものなので、室間部４４１および境界部４４５が屈伸可能となる。シートの端と端とが貼り合わされたら、そのシートの内面同士の貼り合わせと嚥下補助物質４０の充填や包蔵物２１２の挿入とを繰り返す。これにより、組成物用補助物質室４２０と、医薬組成物収容室４２２と、汎用補助物質室４２４と、室間部４４１と、室間強シール部４４３と、開口形成予定部４４７と、汎用補助物質室４２４と、境界部４４５と、通路部４０４とが順次形成される。それらが形成されたら、２つ折りとされたシートのうち貼り合わされた部分を切り取って外形を整える。
【００３１】
外形が整えられたら、室間部４４１および境界部４４５を曲げて、先端部分４３０（容器本体４０２の両端のうち通路部４０４が設けられている側とは反対側の端を含む部分）を、通路部４０４に挿入する。図２は、先端部分４３０が通路部４０４に挿入されている状況を示す。先端部分４３０が通路部４０４に挿入されると、医薬組成物容器４００を包装し、出荷する。
【００３２】
<使用方法>
本実施形態にかかる医薬組成物容器４００を使用するには、まず、患者または介護者は、先端部分４３０を通路部４０４から引き抜く。先端部分４３０が通路部４０４から引き抜かれると、患者または介護者は、その先端部分４３０を患者の口に入れる。先端部分４３０が患者の口に入ると、患者または介護者は、容器本体４０２のうち組成物用補助物質室４２０が形成されている部分に力を加え、室間部４４１を開く。室間部４４１が開くと、患者または介護者は、組成物用補助物質室４２０から開口形成予定部４４７へ向かう方向に医薬組成物容器４００をしごく。そうすると、開口形成予定部４４７が開き、嚥下補助物質４０や包蔵物２１２（ひいては医薬組成物）が患者の口に入る。
【００３３】
嚥下補助物質４０や包蔵物２１２が患者の口に入ると、患者または介護者は、先端部分４３０を患者の口から抜き取り、通路部４０４に新たな医薬組成物を入れる。通路部４０４に新たな医薬組成物が入ると、患者または介護者は、通路部４０４を患者の口に咥えさせる。患者が通路部４０４を咥えると、患者または介護者は、容器本体４０２のうち汎用補助物質室４２４が形成されている部分に力を加え、境界部４４５を開く。境界部４４５が開くと、通路部４０４内の医薬組成物と共に、汎用補助物質室４２４内の嚥下補助物質４０が患者の口に入る。
【００３４】
<本実施形態にかかる医薬組成物容器において特記すべき点>
本実施形態にかかる医薬組成物容器４００において特記すべき点は、次の点である。第１点目は、通路部４０４が設けられていることである。第２点目は、室間部４４１と境界部４４５とが折り曲げ可能となっていて、先端部分４３０が通路部４０４に抜き差し可能に挿入されていることである。
【００３５】
<効果の説明>
上述したように、本実施形態にかかる医薬組成物容器４００には、通路部４０４が設けられている。これにより、通路部４０４に医薬組成物を入れて汎用補助物質室４２４内の嚥下補助物質４０と共にその医薬組成物を嚥下することが可能になる。それが可能になるので、その医薬組成物をいったん舌に載せる必要がなくなる。医薬組成物をいったん舌に載せる必要がなくなるので、嚥下に対する患者の抵抗感を減じることができる。
【００３６】
また、上述したように、本実施形態にかかる医薬組成物容器４００において、室間部４４１と境界部４４５とが折り曲げ可能となっていて、先端部分４３０が通路部４０４に抜き差し可能に挿入されている。これにより、室間部４４１と境界部４４５とがまっすぐな場合に比べ、室間部４４１と境界部４４５とは、しっかりと閉塞されることとなる。室間部４４１と境界部４４５とがしっかりと閉塞されるので、保管中に室間部４４１や境界部４４５が自然と連通する可能性を抑えることができる。
【００３７】
<第２の実施形態>
以下、本発明の第２の実施形態について説明する。なお、第１の実施形態において説明したものと同一物に対しては、同一の符号を付してある。本実施形態では、その詳細な説明は繰り返さない。
【００３８】
<構造の説明>
図３は本実施形態にかかる医薬組成物容器５００の一部破断図である。医薬組成物容器５００のうち、シートの端と端とが貼り合わされた部分が側部強シール５９０である。
【００３９】
医薬組成物容器５００は、容器本体５１０と、通路部５１２とを備える。容器本体５１０はその中に少なくとも３つの空間（本実施形態の場合、後述する中間室５５２，５６２，５８４を考慮しなければちょうど３つの空間）を有する。通路部５１２は、容器本体５１０の一端に設けられ、通路部５１２と一体となっている。
【００４０】
ここで、まず、容器本体５１０について説明する。容器本体５１０の内部の空間のうちの１つが組成物用補助物質室５２２である。組成物用補助物質室５２２内には、嚥下補助物質４０が収容されている。医薬組成物容器５００の外部から嚥下補助物質４０に力が加えられると、嚥下補助物質４０から受ける圧力によって、室間部５４０のうち第１区域５５０が容易に開く。第１区域５５０が開くと中間室５５２に嚥下補助物質４０が押し出される。同様にして、第２区域５５４が開く。これは、第１区域５５０や第２区域５５４の強度が、側部強シール５９０に比べて低いことで実現可能になっている。
【００４１】
容器本体５１０の内部の空間のうちの１つが医薬組成物収容室５２０である。ここには包蔵物２１２が収容されている。組成物用補助物質室５２２は医薬組成物収容室５２０と隣り合っている。包蔵物２１２は医薬組成物８０を包蔵する。医薬組成物収容室５２０の一端は開口形成予定部５３０によって閉塞されている。開口形成予定部５３０の強度は側部強シール５９０に比べて低い。
【００４２】
容器本体５１０の内部の空間のうちの１つが汎用補助物質室５２４である。汎用補助物質室５２４にも、組成物用補助物質室５２２と同様、嚥下補助物質４０が収容されている。
【００４３】
上述した容器本体５１０において、医薬組成物収容室５２０と組成物用補助物質室５２２との間は、室間部５４０で閉塞されている。室間部５４０は、第１区域５５０と、中間室５５２と、第２区域５５４とを有する。第１区域５５０と第２区域５５４との強度は側部強シール５９０に比べて低い。これにより、医薬組成物容器５００の外部から組成物用補助物質室５２２内の嚥下補助物質４０に力が加えられると、嚥下補助物質４０から受ける圧力によって、第１区域５５０と第２区域５５４とは順次容易に開く。
【００４４】
上述した容器本体５１０において、組成物用補助物質室５２２と汎用補助物質室５２４との間は、連通部５４２で閉塞されている。連通部５４２は、第１区域５６０と、中間室５６２と、第２区域５６４とを有する。第１区域５６０と第２区域５６４との強度は、側部強シール５９０と同様である。これにより、医薬組成物容器５００の外部から汎用補助物質室５２４内の嚥下補助物質４０に力が加えられても、少なくとも後述する第１区域５８２と第２区域５８６とが開くまで、第１区域５６０と第２区域５６４とは開かない。
【００４５】
また、汎用補助物質室５２４の一端には境界部５４４が設けられている。境界部５４４により汎用補助物質室５２４の一端が閉塞されていることとなる。境界部５４４は、第１区域５８２と、中間室５８４と、第２区域５８６とを有する。第１区域５８２と第２区域５８６との強度もまた、側部強シール５９０に比べて低い。これにより、医薬組成物容器５００の外部から汎用補助物質室５２４内の嚥下補助物質４０に力が加えられると、嚥下補助物質４０から受ける圧力によって、第１区域５８２と第２区域５８６とは順次容易に開く。
【００４６】
次に、通路部５１２について説明する。通路部５１２は、境界部５４４に隣接するよう配置される。通路部５１２は、境界部５４４が開いたとき汎用補助物質室５２４内の嚥下補助物質４０の通路となる。
【００４７】
通路部５１２は、対向口部５７０と、通過口部５７２と、めくり代５８０とを有する。対向口部５７０は、通路部５１２の両端のうち境界部５４４と対向する一端に設けられている。対向口部５７０は、汎用補助物質室５２４内から嚥下補助物質４０が排出されて通路部５１２に入るとき、その嚥下補助物質４０の入口となる。通過口部５７２は、通路部５１２の両端のうち対向口部５７０とは反対側の端に設けられている。通過口部５７２は、対向口部５７０を通過した嚥下補助物質４０の出口と医薬組成物の入口とを兼ねる。この医薬組成物は、医薬組成物収容室５２０に収容されている医薬組成物８０とは異なるものである。めくり代５８０は、通過口部５７２の縁の一部をめくるためのものである。後述するように、本実施形態にかかる医薬組成物容器５００は１枚の折り曲げ可能なシートを２つ折りにしてシートの面同士を貼り合せることで形成される。そのため、通過口部５７２も、折り曲げ可能なシートの面同士を対向させてそれらの面同士を貼り合せることで形成されることとなる。本実施形態におけるめくり代５８０は、そのシートの縁および通過口部５７２の縁にあたる、シートの面のうち貼り合わされていない部分である。図４は、めくり代５８０をめくったときの通路部５１２の斜視図である。
【００４８】
<製造工程の説明>
本実施形態にかかる医薬組成物容器５００の製造工程は次の通りである。まず、１枚の合成樹脂（低密度ポリエチレン、ＰＥＴ（ポリエチレンテレフタレート）、その複合樹脂などのように折り曲げ可能な柔らかいものであってヒートシールが可能なもの）製のシートを２つ折りとし、２つ折りとされたシートの端と端とを貼り合わせる。シートの端と端とが貼り合わされたら、そのシートの内面同士の貼り合わせと嚥下補助物質４０の充填または包蔵物２１２の挿入とを繰り返す。これにより、医薬組成物収容室５２０と、組成物用補助物質室５２２と、汎用補助物質室５２４と、開口形成予定部５３０と、室間部５４０と、連通部５４２と、境界部５４４と、通路部５１２とが順次形成される。それらが形成されたら、２つ折りとされたシートのうち貼り合わされた部分を切り取って外形を整える。
【００４９】
<使用方法>
本実施形態にかかる医薬組成物容器５００を使用するには、まず、患者または介護者は、容器本体５１０のうち医薬組成物収容室５２０が設けられている部分を患者の口に入れる。その部分が患者の口に入ると、患者または介護者は、容器本体５１０のうち組成物用補助物質室５２２が形成されている部分に力を加える。そうすると、室間部５４０が開く。室間部５４０が開くと、患者または介護者は、組成物用補助物質室５２２から開口形成予定部５３０へ向かう方向に医薬組成物容器５００をしごく。上述したように、開口形成予定部５３０の強度は側部強シール５９０に比べて低い。このため、容器本体５１０をしごくと、嚥下補助物質４０から受ける圧力によって開口形成予定部５３０は開く。そうすると、嚥下補助物質４０や包蔵物２１２（ひいては医薬組成物８０）が患者の口に入る。
【００５０】
嚥下補助物質４０や包蔵物２１２が患者の口に入ると、患者または介護者は、医薬組成物容器５００を患者の口から抜き取る。医薬組成物容器５００が抜き取られると、患者または介護者は、医薬組成物容器５００のめくり代５８０をめくって通路部５１２を開く。通路部５１２が開くと、患者または介護者は、通過口部５７２を介して通路部５１２の中に新たな医薬組成物を入れる。通路部５１２に新たな医薬組成物が入ると、患者または介護者は、通路部５１２を患者の口に咥えさせる。患者が通路部５１２を咥えると、患者または介護者は、容器本体５１０のうち汎用補助物質室５２４が形成されている部分に力を加え、境界部５４４を開く。境界部５４４が開くと、汎用補助物質室５２４内の嚥下補助物質４０と通路部５１２内の医薬組成物とは、通過口部５７２を経て患者の口に入る。
【００５１】
<本実施形態にかかる医薬組成物容器において特記すべき点>
本実施形態にかかる医薬組成物容器５００において特記すべき点は、次の点である。第１点目は、通路部５１２が設けられていることである。第２点目は、めくり代５８０が設けられている点である。第３点目は、シートの縁および通過口部５７２の縁にあたる、シートの面のうち貼り合わされていない部分をめくり代５８０としていることである。
【００５２】
<効果の説明>
上述したように、本実施形態にかかる医薬組成物容器５００には、通路部５１２が設けられている。これにより、通路部５１２に医薬組成物を入れて汎用補助物質室５２４内の嚥下補助物質４０と共にその医薬組成物を嚥下することが可能になる。それが可能になるので、その医薬組成物をいったん舌に載せる必要がなくなる。医薬組成物をいったん舌に載せる必要がなくなるので、嚥下に対する患者の抵抗感を減じることができる。
【００５３】
また、上述したように、本実施形態にかかる医薬組成物容器５００には、めくり代５８０が設けられている。めくり代５８０が設けられているので、そのめくり代５８０から通過口部５７２の縁の一部をめくることが可能になる。通過口部５７２の縁の一部をめくると通過口部５７２の口を拡げることができる。通過口部５７２の口を拡げることができるので、その中に医薬組成物を入れやすくなる。
【００５４】
また、上述したように、めくり代５８０は、シートの縁および通過口部５７２の縁にあたる、シートの面のうち貼り合わされていない部分である。このため、その部分を貼り合わせないことでめくり代５８０を形成できることとなる。そのようにしてめくり代５８０を形成すると、通過口部５７２の縁にあたる部分に突起と凹みとの少なくとも一方を設けてそれをめくり代とする場合に比べ、次に述べるような効果が得られる。第１の効果は、シートの無駄を少なくできるという効果である。第２の効果は、通過口部５７２の縁にあたる部分に突起と凹みとの少なくとも一方を設ける工程が不要になるという効果である。
【００５５】
<変形例の説明>
上述した医薬組成物容器４００，５００は、本発明の技術的思想を具体化するために例示したものである。上述した医薬組成物容器４００，５００は、本発明の技術的思想の範囲内において種々の変更を加え得るものである。
【００５６】
例えば、本発明にかかる医薬組成物容器４００，５００は、シートを２つ折りにして貼り合わせたものに限定されない。医薬組成物容器４００，５００は、２枚のシートを貼り合せたものであってもよい。医薬組成物容器４００は、１本のチューブのところどころを貼り合わせたものであってもよい。医薬組成物容器４００は、ブロー成形によって形成されるものであってもよい。また、医薬組成物容器４００，５００の素材も上述したものに限定されない。たとえば、医薬組成物容器４００，５００の素材は、表面と裏面とに合成樹脂の層が形成されている、アルミのフィルムであってもよい。
【００５７】
また、めくり代５８０の形態は上述したものに限定されない。たとえば、通過口部５７２の縁にその縁から突出しためくり代を設けてもよい。通過口部５７２の縁の一部を切り欠き、そこをめくり代としてもよい。
【００５８】
また、嚥下補助物質４０は、水分を含有する滅菌された粘液状の外観を呈しているゼリーに限られない。ただし、組成物用補助物質室４２０に収容される嚥下補助物質４０と汎用補助物質室４２４に収容される嚥下補助物質４０とは、人または人以外の動物の口内を移動する際に包蔵物（医薬組成物が包蔵物に包蔵されていないときは医薬組成物）を伴う程度の粘度を有し、かつ、人または人以外の動物が嚥下できる流動体であることを必要とする。そういった嚥下補助物質の例には、濃厚なシロップ、ハチミツ、カスタードクリーム、ピーナツ・スプレッド、チーズ・スプレッドがある。
【符号の説明】
【００５９】
４０  嚥下補助物質
８０  医薬組成物
２１２      包蔵物
４００，５００     医薬組成物容器
４０２，５１０     容器本体
４０４，５１２     通路部
４１０，５９０     側部強シール
４２０，５２２     組成物用補助物質室
４２２，５２０     医薬組成物収容室
４２４，５２４     汎用補助物質室
４３０      先端部分
４４１，５４０     室間部
４４３      室間強シール部
４４５，５４４     境界部
４４７，５３０     開口形成予定部
４５０，４６０，５５０，５６０，５８２      第１区域
４５２，４６２，５５２，５６２，５８４      中間室
４５４，４６４，５５４，５６４，５８６      第２区域
５４２      連通部
５７０      対向口部
５７２      通過口部
５８０      めくり代
【図１】
2013126429.tif 000003
【図２】
2013126429.tif 000004
【図３】
2013126429.tif 000005
【図４】
2013126429.tif 000006